(57)【要約】      （修正有）【課題】断線や装置の複雑さを生じることのないエレベータの移動ケーブル装置。【解決手段】第二の移動ケーブル13の他端が吊るされ昇降路に固定された昇降路ケーブル吊り手14と、一端が上記昇降路ケーブル吊り手に、他端が制御盤に接続された配線用ケーブル15とからなり、かごと制御盤16との間で、電力の供給および信号の授受を行うようにしたものにおいて、移動ケーブル吊り手12の上部と昇降路頂部および昇降路底部の各々に滑車21,22,23を備え、移動ケーブル吊り手の滑車21に吊りロープ20を通して上記吊りロープの一端を昇降路頂部に固定し、ロープの他端を上記昇降路頂部に設けた滑車22で反らせ、更に、上記昇降路底部に設けた滑車23で反らせて上記かごに接続するようにした。【選択図】図１
2010159112.tif 000002
【特許請求の範囲】
【請求項１】
かごに設けられたかごケーブル吊り手と、上記かごケーブル吊り手に一端が吊るされた第一の移動ケーブルと、上記第一の移動ケーブルの他端が吊るされ昇降路中を昇降する移動ケーブル吊り手と、上記移動ケーブル吊り手に一端が吊るされた第二の移動ケーブルと、上記第二の移動ケーブルの他端が吊るされ昇降路に固定された昇降路ケーブル吊り手と、一端が上記昇降路ケーブル吊り手に、他端が制御盤に接続された配線用ケーブルとからなり、上記かごと上記制御盤との間で、上記配線用ケーブル、上記第一の移動ケーブル、上記第二の移動ケーブルを介して電力の供給および信号の授受を行うようにしたエレベータの移動ケーブル装置において、
上記移動ケーブル吊り手の上部と昇降路頂部および昇降路底部の各々に滑車を備え、上記移動ケーブル吊り手の滑車にロープを通してロープの一端を昇降路頂部に固定し、ロープの他端を上記昇降路頂部に設けた滑車で反らせ、更に、上記昇降路底部に設けた滑車で反らせて上記かごに接続するようにしたことを特徴とするエレベータの移動ケーブル装置。
【発明の詳細な説明】
【技術分野】
【０００１】
本発明は、昇降路内を昇降するかごへ制御盤から電力の供給および信号の授受を行うエレベータの移動ケーブル装置に関する。
【背景技術】
【０００２】
エレベータの移動ケーブル装置においては、かごの昇降が長行程となると長さの増加に伴う移動ケーブルの自重の増加の他に、電線の電圧降下の問題から電線径が太くなったり、エレベータシステムとしても信号量が増加することによって多線芯化し更に重量が増加する。また、上記重量の増加に従い構造材である鋼芯を太くすると重量の更なる増加要因となり、鋼芯が切れずに支えることができる安全率を見込んだ重量には限界が有り、結果的に鋼芯のサイズアップにも限界が生じる。即ち、上記移動ケーブル装置での対応可能な昇降行程には制限があることになる。
【０００３】
この解決手段として移動ケーブルをかご側と昇降路側とに分離し、中間をかごの昇降に伴って昇降可能な移動ケーブル吊り手で吊り下げる移動ケーブル装置がある（例えば、特許文献１参照）。
【０００４】
上記移動ケーブル装置によると、移動ケーブル吊り手昇降行程は、かごの昇降行程の半分となり、従って昇降速度はかごの半分でよい。上記のような構成からなる移動ケーブル装置における移動ケーブルの長さは、かご側の第一の移動ケーブルと昇降路側の第二の移動ケーブルでほぼ同じ長さとなり、昇降路長の４分の１の長さに対応したＵ字形状の移動ケーブルを用意すればよく、かごあるいは昇降路の吊り手に掛かる移動ケーブルの重量を少なくすることができると共に、その結果、昇降行程のより長いエレベータを実現できる。
【先行技術文献】
【特許文献】
【０００５】
【特許文献１】特開平１０−１８２０３４号公報（第８頁、図１）
【発明の概要】
【発明が解決しようとする課題】
【０００６】
上記提案された一実施例においては、かごを昇降させる巻上機の回転を駆動鋼車に伝達し移動ケーブル吊り手を昇降させている。上記構成とした場合、停電や故障発生時の非常停止で巻上機のブレーキが動作したときやキャッチ試験等でかごを懸垂している主ロープと巻上機のシーブとがスリップや空転した時に移動ケーブル吊り手の位置がずれる。移動ケーブル吊り手が上方向にずれた場合は、最上階では昇降路側の移動ケーブルが突っ張り、最下階ではかご側の移動ケーブルが突っ張る。移動ケーブル吊り手が下方向にずれた場合は、最上階ではかご側の移動ケーブルが突っ張り、最下階では昇降路側の移動ケーブルが突っ張る。上記ため移動ケーブルが断線する危険性がある。
【０００７】
また他の実施例においては、巻上機の回転とは連動させず駆動鋼車を駆動させるため、移動ケーブル吊り手の位置を検出しその位置に応じて移動ケーブル吊り手の昇降を制御する装置が必要となり装置構成が複雑になるという問題もあった。
【０００８】
本発明の目的は、断線や装置の複雑さを生じることのないエレベータの移動ケーブル装置を提供するにある。
【課題を解決するための手段】
【０００９】
上記目的を達成するために本発明では、かごに設けられたかごケーブル吊り手と、上記かごケーブル吊り手に一端が吊るされた第一の移動ケーブルと、上記第一の移動ケーブルの他端が吊るされ昇降路中を昇降する移動ケーブル吊り手と、上記移動ケーブル吊り手に一端が吊るされた第二の移動ケーブルと、上記第二の移動ケーブルの他端が吊るされ昇降路に固定された昇降路ケーブル吊り手と、一端が上記昇降路ケーブル吊り手に、他端が制御盤に接続された配線用ケーブルとからなり、上記かごと上記制御盤との間で、上記配線用ケーブル、上記第一の移動ケーブル、上記第二の移動ケーブルを介して電力の供給および信号の授受を行うようにしたエレベータの移動ケーブル装置において、上記移動ケーブル吊り手の上部と昇降路頂部および昇降路底部の各々に滑車を備え、上記移動ケーブル吊り手の滑車にロープを通してロープの一端を昇降路頂部に固定し、ロープの他端を上記昇降路頂部に設けた滑車で反らせ、更に、上記昇降路底部に設けた滑車で反らせて上記かごに接続するようにしたことを特徴とする。
【００１０】
上記構成により、移動ケーブル吊り手の位置ずれがないため、移動ケーブルが断線することはなく、また、移動ケーブル吊り手の位置を検出しその位置に応じて移動ケーブル吊り手の昇降を制御する必要がないため、装置構成が複雑になるという問題も生じることがない。
【発明の効果】
【００１１】
本発明によれば、移動ケーブル吊り手の位置ずれがないため、移動ケーブルが断線することはなく、また、移動ケーブル吊り手の位置を検出しその位置に応じて移動ケーブル吊り手の昇降を制御する必要がないため、装置構成が複雑になるという問題も生じることがない。
【図面の簡単な説明】
【００１２】
【図１】本発明の一実施例になるエレベータの移動ケーブル装置を備えたエレベータの全体構成図である。
【図２】図１の側面図である。
【図３】移動ケーブル装置をかご下から見上げた図である。
【図４】かご位置により上記移動ケーブル装置がどのような位置関係になるかを説明した構成図で、Ａはかごが最上階、Ｂはかごが中間階、Ｃはかごが最下階にある場合を示したものである。
【発明を実施するための形態】
【００１３】
以下、本発明によるエレベータの移動ケーブル装置の実施形態を図面に基づき説明する。
【実施例１】
【００１４】
図において、１は昇降路２を昇降するかご、３は上記かご１を昇降させる巻上機、４は上記巻上機３に巻き付けられ、一端がかご１に他端が釣り合いおもり５に連結された主ロープで、上記主ロープ４を上記巻上機３により駆動してかご１と釣り合いおもり５とを昇降させる。５は主ロープ４の他端に吊り下げられかご１と重量の釣り合いを取るかご釣り合いおもりである。６は上記かご１の昇降を案内するかごレール、７は上記釣り合いおもり５の昇降を案内するおもりレールである。
【００１５】
１０は上記かご１に設けられたかごケーブル吊り手、１１は上記かごケーブル吊り手１０に吊るされた第一の移動ケーブル、１２は上記第一の移動ケーブル１１の他端を吊るした移動ケーブル吊り手、１３は上記移動ケーブル吊り手１２に吊るされた第二の移動ケーブル、１４は上記第二の移動ケーブル１３が昇降路２に吊るされる昇降路ケーブル吊り手、１５は上記昇降路吊り手から昇降路頂部の機械室までの配線用ケーブル、１６は機械室で配線用ケーブル１５をつなぎ込む制御盤であって上記エレベータの駆動制御を行うものである。
【００１６】
２０は一端を昇降路頂部に固定し、他端をかご１に接続した移動ケーブル吊り手１２を懸垂する吊りロープ、２１は上記吊りロープ２０を巻き付けて移動ケーブル吊り手１２を懸垂する滑車、２２は上記吊りロープ２０を昇降路底部方向に反らす昇降路頂部に設けられた滑車、２３は上記吊りロープ２０を昇降路頂部方向に反らす昇降路底部に設けられた滑車である。
【００１７】
エレベータの移動ケーブル装置は、制御盤１６の指令のもとに巻上機３が回転駆動され、主ロープ４にて吊持されたかご１が昇降するに伴い、移動ケーブル吊り手１２も連動して昇降する。
【００１８】
上記時のかご１と移動ケーブル吊り手１２の位置関係を説明したものが図４である。昇降路ケーブル吊り手１４は通常昇降行程（Ｌで示す）の中程に設置される。図４Ｂは、かご１が昇降行程の中程にある場合を示すもので、移動ケーブル吊り手１２も昇降行程の中程のほぼ同位置にある。図４Ａは、かご１が昇降行程の最上階にある時のもので移動ケーブル吊り手１２はかご１と昇降路ケーブル吊り手１４の中間点（最上部からＬ／４）に位置し、図４Ｃは、かご１が昇降行程の最下階にある時のもので移動ケーブル吊り手１２は同様にかご１と昇降路ケーブル吊り手１４の中間点（最下部からＬ／４）に位置する。
【００１９】
本実施例によれば、上記図４のＡ、Ｂ、Ｃに示すように、移動ケーブル吊り手１２をかご１の昇降速度の半分で昇降させることが、３個の滑車２１、２２、２３と吊り手ロープ２０で実現できる。また、かご１の昇降によって移動ケーブル吊り手１２を直接昇降させているため、移動ケーブル吊り手１２の位置ずれはなく移動ケーブル１１、１３が断線する恐れはない。
【符号の説明】
【００２０】
１    かご
２    昇降路
３    巻上機
４    主ロープ
５    釣り合いおもり
６    かごレール
７    おもりレール
１０  かごケーブル吊り手
１１  第一の移動ケーブル
１２  移動ケーブル吊り手
１３  第二の移動ケーブル
１４  昇降路ケーブル吊り手
１５  配線用ケーブル
１６  制御盤
１７  吊り手ロープ
２１，２２，２３    滑車
【図１】
2010159112.tif 000003
【図２】
2010159112.tif 000004
【図３】
2010159112.tif 000005
【図４】
2010159112.tif 000006